(57)【特許請求の範囲】
【請求項１】
部品実装後の基板の部品の電極と他の部位との区別が可能で、その表面を正面から観測した状態を表す画像を用いて、当該基板上の部品の実装状態の検査に用いられる検査領域の設定データを作成する方法において、
複数の電極ピンが前記部品本体の端縁に沿って規則性をもって配置されている部品を設定の対象として、この対象部品の実装状態を表す基準画像をモニタに表示する第１ステップ、
前記基準画像の表示画面において、対象部品の部品本体の各端縁に沿う矩形状の部品対応領域を指定する第１指定操作を受け付ける第２ステップ、
前記第１指定操作により指定された部品対応領域の一辺に沿って並ぶ少なくとも２つの領域を、それぞれ前記対象部品の一電極ピンに対応する領域として指定する第２指定操作を受け付ける第３ステップ、
前記第１指定操作および第２指定操作が行われたことに応じて、指定された各領域の間の関係に基づき、前記対象部品における電極ピンの配置に関する規則として、電極ピンの幅および長さならびにピッチと、前記部品本体の一角部からその直近の電極ピンまでの距離とを特定する第４ステップ、
前記第１指定操作により指定された部品対応領域の各辺のうち少なくとも前記第２指定操作の対象となった辺に前記第４ステップで特定された規則を適用して、前記部品対応領域の外側に、電極ピンに対する検査のための検査領域を前記規則が適用された辺に沿って複数設定する第５ステップ、
前記第５ステップの実行に応じて、前記モニタに表示されている基準画像を前記検査領域が設定された状態を表すものに更新し、更新後の表示に対して確定操作が行われたことに応じて前記検査領域の設定に用いられた設定データを確定する第６ステップ、の各ステップを実行することを特徴とする基板検査用の検査領域の設定データ作成方法。
【請求項２】
前記第４ステップでは、前記第２指定操作により指定された各領域の関係から電極ピンの幅および長さならびにピッチを特定すると共に、第１指定操作により指定された部品対応領域の一角部と第２指定操作により指定された領域の中で当該角部に最も近い領域との距離を、前記部品本体の一角部からその直近の電極ピンまでの距離として特定し、
前記第５ステップでは、前記第１指定操作により指定された部品対応領域の各辺のうち少なくとも前記第２指定操作の対象となった辺に対し、その辺の両端部に前記部品本体の一角部からその直近の電極ピンまでの距離に基づくマージンをそれぞれ設定し、さらにこれら両端部のマージンを除く範囲に前記第４ステップで特定された電極ピンの幅および長さならびにピッチを適用して電極ピンに対する検査のための検査領域を前記両端部のマージンを除く範囲内の辺に沿って複数設定する、請求項１に記載された基板検査用の検査領域の設定データ作成方法。
【請求項３】
前記第３ステップでは、前記一電極ピンに対応する領域とともに当該電極ピンが接続されるランドに対応する領域を指定する操作を受け付けており、
前記第４ステップでは、前記第３ステップで指定された各領域の関係に基づき対応関係にある電極ピンとランドとの位置関係をさらに特定し、前記第５ステップでは、第４ステップで特定された位置関係に基づき、各電極ピンとランドとの接続状態を検査するための第２の検査領域を電極ピン毎に設定する、
請求項１に記載された基板検査用の検査領域の設定データ作成方法。
【請求項４】
請求項１〜３のいずれかに記載された方法において、
矩形状の部品本体の対向する２辺にそれぞれ複数の電極ピンが配置されると共に、これらの辺における電極ピンの配列の間に線対称の関係が成立する部品を設定の対象とし、
前記第５ステップにおいて、前記第２指定操作の対象となった辺を対象に前記第４ステップで特定された規則を適用して、前記部品対応領域の外側で前記対象の辺に沿う位置に複数の検査領域を設定するステップと、これらの検査領域を１８０度回転させたものを前記部品対応領域の外側で前記対象の辺に対向する辺に沿う位置に設定するステップとを実行する、基板検査用の検査領域の設定データ作成方法。
【請求項５】
請求項１〜３のいずれかに記載された方法において、
矩形状の部品本体の各辺にそれぞれ複数の電極ピンが配置されると共に、対向する関係にある２辺における電極ピンの配列の間に線対称の関係が成立する部品を設定の対象とし、
前記第５ステップにおいて、前記第２指定操作の対象となった辺およびこの辺に直交する２つの辺のうちの一方を対象にして、それぞれの辺に前記第４ステップで特定された規則を適用して、第１の領域の外側で対象の辺に沿う位置に複数の検査領域を設定するステップと、これらの検査領域を１８０度回転させたものを前記第１の領域の外側で対象の辺に対向する辺に沿う位置に設定するステップとを実行する、基板検査用の検査領域の設定データ作成方法。
【請求項６】
部品実装後の基板の部品の電極と他の部位との区別が可能で、その表面を正面から観測した状態を表す画像を用いて、当該基板上の部品の実装状態の検査に必要な情報を作成するシステムであって、
複数の電極ピンが前記部品本体の端縁に沿って規則性をもって配置されている部品を設定の対象として、この対象部品の実装状態を表す基準画像をモニタに表示する基準画像表示手段、
前記基準画像の表示画面において、対象部品の部品本体の各端縁に沿う矩形状の部品対応領域を指定する第１指定操作を受け付ける第１指定操作受付手段、
前記第１指定操作により指定された部品対応領域の一辺に沿って並ぶ少なくとも２つの領域を、それぞれ前記対象部品の一電極ピンに対応する領域として指定する第２指定操作を受け付ける第２指定操作受付手段、
前記第１指定操作受付手段および第２指定操作受付手段がそれぞれの指定操作を受け付けたことに応じて、指定された各領域の間の関係に基づき、前記対象部品における電極ピンの配置に関する規則として、電極ピンの幅および長さならびにピッチと、前記部品本体の一角部からその直近の電極ピンまでの距離とを特定する配置規則特定手段、
前記第１指定操作により指定された部品対応領域の各辺のうち少なくとも前記第２指定操作の対象となった辺に前記配置規則特定手段により特定された規則を適用して、前記部品対応領域の外側に、電極ピンに対する検査のための検査領域を前記規則が適用された辺に沿って複数設定する領域設定手段、
前記領域設定手段により検査領域が設定されたことに応じて、前記モニタに表示されている基準画像を前記検査領域が設定された状態を表すものに更新し、更新後の表示に対して確定操作が行われたことに応じて前記検査領域の設定に用いられた設定データを確定する領域確定手段、
の各手段を具備することを特徴とする基板検査用の検査データ作成システム。
【発明の詳細な説明】
【技術分野】
【０００１】
本発明は、部品実装基板上の部品の実装状態を画像処理の手法により検査することを前提として、この検査に必要な検査領域の設定データを作成する方法、およびこの方法が適用された検査データ作成システムに関する。
【背景技術】
【０００２】
部品実装基板の外観検査装置では、一般に、検査対象の基板を撮像して２次元画像を生成し、画像中の部品にその部品種に応じた検査領域を設定し、検査領域内の画像を処理することにより、はんだ付け状態の適否や部品の位置ずれの有無などを判別する（特許文献１を参照。）。また、２次元画像に高さ情報を加えて３次元画像とし、これを用いて電極や部品の高さを判別するものもある（特許文献２を参照）。
【０００３】
この種の検査装置における検査データには、一般に、検査領域の設定データ（検査領域の数および各検査領域の設定位置および大きさを示すもの）や、各検査領域で被検査部位を抽出するための２値化しきい値、各検査領域における測定処理のロジック、判定基準値などが含まれる。具体的な検査の内容は、部品の外観に応じて異なるため、従来の基板外観検査装置では、ティーチング作業の負荷を軽減するために、あらかじめ部品の種毎に「ライブラリデータ」と呼ばれる標準の検査データを用意し、検査対象の部品に対し、それぞれその部品種に応じたライブラリデータを適用するようにしている。
【０００４】
たとえば、特許文献１には、教示対象の部品の具体的な画像と、この部品に対応する部品種について入力すべき項目とを表示し、各項目につき、所定数の外観情報の選択肢の中から表示中の部品に該当するものをユーザに選択させ、選択された外観情報に適合するライブラリデータを読み出して、これに基づき教示対象の部品に対する検査領域を特定することが記載されている。
【０００５】
また特許文献２にも、電極ピン（リード）の３次元形状や輝度値に基づき、基板の３次元画像からリード領域を抽出し、総リード数、リード間距離などから検査部品の部品種類を決定することや、決定した部品種類を基にあらかじめ記憶した部品ライブラリを選択することなどが記載されている。
【先行技術文献】
【特許文献】
【０００６】
【特許文献１】特開２００８−３２５２５号公報
【特許文献２】特開２００６−２５０６０９号公報
【発明の概要】
【発明が解決しようとする課題】
【０００７】
ＱＦＰ，ＳＯＰなどのＩＣ部品では、電極ピンの数やピッチが部品によって異なり、電極ピンの長さにもばらつきがある。このため、出願人が提供する従来の外観検査装置では、ＩＣ部品用の検査領域については、大まかな設定ルールのみを定め、検査対象の基板の基準画像から各電極ピンやこれらが接続されるランドを自動抽出して、抽出された電極ピンやランドに上記の設定ルールを適用することにより、検査領域を特定するようにしている。
【０００８】
しかし、多数の電極ピンやランドを正しく抽出するには抽出用のプログラムが複雑になり、電極ピンやランドをすべて抽出し終えるまでにかなりの時間がかかる。また、画像中の抽出対象部位の色彩や明るさのばらつきが大きい場合に、均一な基準で抽出するのが困難である点や、部品の周囲の抽出対象部位によく似た色彩の部位が誤抽出される点も問題となっている。
【０００９】
本発明は上記の問題点に着目し、多数の電極ピンを具備する部品を対象に検査領域の設定データを作成する場合に、ユーザの簡単な指定操作に応じて検査領域を特定することにより、検査領域の設定データの作成を高速化することを目的とする。
【課題を解決するための手段】
【００１０】
本発明による検査領域の設定方法は、部品実装後の基板の部品の電極と他の部位との区別が可能で、その表面を正面から観測した状態を表す画像を用いて、当該基板上の各部品の実装状態の検査に用いられる検査領域の設定データを作成するもので、以下の第１〜第６のステップを実行することを特徴とする。
【００１１】
第１ステップでは、複数の電極ピンが部品本体の端縁に沿って規則性をもって配置されている部品を設定の対象として、この対象部品の実装状態を表す基準画像をモニタに表示する。第２ステップでは、基準画像の表示画面において、対象部品の部品本体の各端縁に沿う矩形状の部品対応領域を指定する第１指定操作を受け付ける。第３ステップでは、第１指定操作により指定された部品対応領域の一辺に沿って並ぶ少なくとも２つの領域を、それぞれ対象部品の一電極ピンに対応する領域として指定する第２指定操作を受け付ける。
【００１２】
第４ステップでは、第１指定操作および第２指定操作が行われたことに応じて、指定された各領域の間の関係に基づき、対象部品における電極ピンの配置に関する規則として、電極ピンの幅および長さならびにピッチと、部品本体の一角部からその直近の電極ピンまでの距離とを特定する。第５ステップでは、第１指定操作により指定された部品対応領域の各辺のうち少なくとも前記第２指定操作の対象となった辺に第４ステップで特定された規則を適用して、部品対応領域の外側に、電極ピンに対する検査のための検査領域を前記規則が適用された辺に沿って複数設定する。第６ステップでは、第５ステップの実行に応じて、モニタに表示されている基準画像を検査領域が設定された状態を表すものに更新し、更新後の表示に対して確定操作が行われたことに応じて検査領域の設定に用いられた設定データを確定する。
【００１３】
上記の方法によれば、複数の電極ピンが部品本体の端縁に沿って規則性をもって配置されている部品に対する検査領域の設定データを作成する場合には、モニタに表示された基準画像の画面上でユーザが第１指定操作および第２指定操作を行ったことに応じて、部品対応領域の少なくとも一辺に沿って複数の検査領域が自動的に設定され、基準画像の表示がその設定状態を表すものに切り替えられる。ユーザが、この表示により検査領域の設定が適切であると判断して確定操作を行うと、表示中の検査領域の設定データが確定される。
【００１４】
ＳＯＰやＱＦＰの部品本体の電極ピンが配置される辺では、通常、両端部に等しいマージンをおいて、大きさおよび形状が等しい電極ピンが等間隔で配列される。したがって、このような部品に対し、ユーザが、設定対象の部品の部品本体に対応する領域を正しく指定すると共に、この部品本体の一辺に沿って並ぶ電極ピンを、端に位置する電極ピンから順に２つ以上選択して、これらに対応する領域を正しく指定すれば、電極ピンの配置に関する規則を正しく特定し、検査領域を精度良く設定することが可能になる。
【００１５】
上記の方法によれば、ユーザが第２指定操作により指定した領域を電極ピンとしてみなすので、画像処理により電極ピンを抽出する必要がなくなり、処理時間を短縮することができる。また、電極ピンに対応する領域を２つ指定すれば、電極ピンの配置に関する規則を特定することができるので、ユーザに過度の負担がかかることもない。
【００１６】
上記の方法の好ましい態様では、第３ステップにおいて、一電極ピンに対応する領域とともに当該電極ピンが接続されるランドに対応する領域を指定する操作を受け付ける。また第４ステップでは、第３ステップで指定された各領域の関係に基づき対応関係にある電極ピンとランドとの位置関係とをさらに特定し、第５ステップでは、第４ステップで特定された位置関係に基づき、各電極ピンとランドとの接続状態を検査するための第２の検査領域を電極ピン毎に設定する。
【００１７】
上記の態様によれば、電極ピンに対応する領域とともに、この電極ピンが接続されるランドに対応する領域が指定されるので、ランドに関しても基準画像からの抽出を不要にすることができる。また第４ステップにおいて、部品本体領域の一辺における電極ピンの数や位置を割り出すのに必要な情報とともに、電極ピンとランドとの位置関係が特定されるので、個々の電極ピンとランドとの接続状態を検査するための検査領域を精度良く設定することが可能になる。
【００１８】
上記の方法の他の好ましい態様では、矩形状の部品本体の対向する２辺にそれぞれ複数の電極ピンが配置されると共に、これらの辺における電極ピンの配列の間に線対称の関係が成立する部品（ＳＯＰ）を設定の対象とする。この場合の第５ステップでは、第２指定操作の対象となった辺を対象に第４ステップで特定された規則を適用して、部品対応領域の外側で前記対象の辺に沿う位置に複数の検査領域を設定するステップと、これらの検査領域を１８０度回転させたものを部品対応領域の外側で前記対象の辺に対向する辺に沿う位置に設定するステップとを実行する。
【００１９】
他の好ましい態様では、矩形状の部品本体の各辺にそれぞれ複数の電極ピンが配置されると共に、対向する関係にある２辺における電極ピンの配列の間に線対称の関係が成立する部品（ＱＦＰ）を設定の対象とする。この場合の第５ステップでは、第２指定操作の対象となった辺およびこの辺に直交する２つの辺のうちの一方を対象にして、それぞれの辺に第４ステップで特定された規則を適用して、第１の領域の外側で対象の辺に沿う位置に複数の検査領域を設定するステップと、これらの検査領域を１８０度回転させたものを第１の領域の外側で対象の辺に対向する辺に沿う位置に設定するステップとを実行する。
【００２０】
上記の各態様によれば、対向する２辺間の対称性を利用して、一方の辺に対して設定した検査領域を他方の辺に適用して、各検査領域の設定データを効率良く作成することが可能になる。
【００２１】
つぎに、本発明が適用される検査データの作成システムは、部品実装後の基板の部品の電極と他の部位との区別が可能で、その表面を正面から観測した状態を表す画像を用いて、当該基板上の部品の実装状態の検査に必要な情報を作成するものである。このシステムは、複数の電極ピンが前記部品本体の端縁に沿って規則性をもって配置されている部品を設定の対象として、この対象部品の実装状態を表す基準画像をモニタに表示する基準画像表示手段；基準画像の表示画面において、対象部品の部品本体の各端縁に沿う矩形状の部品対応領域を指定する第１指定操作を受け付ける第１指定操作受付手段；第１指定操作により指定された部品対応領域の一辺に沿って並ぶ少なくとも２つの領域を、それぞれ対象部品の一電極ピンに対応する領域として指定する第２指定操作を受け付ける第２指定操作受付手段；第１指定操作受付手段および第２指定操作受付手段がそれぞれの指定操作を受け付けたことに応じて、指定された各領域の間の関係に基づき、対象部品における電極ピンの配置に関する規則として、電極ピンの幅および長さならびにピッチと、部品本体の一角部からその直近の電極ピンまでの距離とを特定する配置規則特定手段；第１指定操作により指定された部品対応領域の各辺のうち少なくとも第２指定操作の対象となった辺に前記配置規則特定手段により特定された規則を適用して、部品対応領域の外側に、電極ピンに対する検査のための検査領域を前記規則が適用された辺に沿って複数設定する領域設定手段；領域設定手段により検査領域が設定されたことに応じて、モニタに表示されている基準画像を前記検査領域が設定された状態を表すものに更新し、更新後の表示に対して確定操作が行われたことに応じて前記検査領域の設定に用いられた設定データを確定する領域確定手段、の各手段を具備することを特徴とする。
【００２２】
上記のシステムによれば、先に述べた検査領域の設定方法を実行して検査領域の設定データを効率良く作成することができる。なお、このシステムは、検査を行う装置に導入することができるが、パーソナルコンピュータなどの外部のコンピュータに導入することもできる。後者の場合には、作成された検査データは、たとえば通信により検査装置に移植することができる。
【発明の効果】
【００２３】
本発明によれば、ＳＯＰ，ＱＦＰなど、複数の電極ピンが部品本体の端縁に沿って規則性をもって配置されている部品について、各電極ピンおよびこれらに対応するランドの状態に適した検査領域を容易に特定して、検査領域の設定データの作成にかかる効率を向上し、処理を高速化することが可能になる。また、表示されている部品の形状に合わせて第１指定操作を行い、当該部品の一辺に配置された電極ピンの一部を対象に、各電極ピンに対応する領域を指定することにより検査領域を正しく設定することができるので、設定作業に慣れていないユーザでも、適切な検査領域を容易に設定することが可能になる。
【図面の簡単な説明】
【００２４】
【図１】基板外観検査装置の構成を検査データ作成用のコンピュータとの関係とともに示す図である。
【図２】検査データ作成システムによるバリエーションの作成処理の手順を示すフローチャートである。
【図３】チップ部品に対する検査領域の設定方法を示す図である。
【図４】ＳＯＰを対象にした検査領域の設定画面を示す図である。
【図５】図４の画面において部品対応領域を指定した後の画面表示の変化を示す図である。
【図６】２種類の指定枠により電極領域およびランド領域を指定する操作の例を示す図である。
【図７】電極領域およびランド領域の指定が完了したときの表示から検査領域の設定状態を示す表示への変化を示す図である。
【図８】検査領域の設定のために導出されるパラメータを示す図である。
【図９】ＳＯＰおよびＱＦＰを対象にした検査領域の設定処理についての詳細を示すフローチャートである。
【図１０】想定ピッチテーブルのデータ構成例を示す図である。
【図１１】ランドの幅が一定でない例を示す図である。
【発明を実施するための形態】
【００２５】
図１は、部品実装基板の自動外観検査を行う検査装置１の主要構成を、この検査装置１に接続されるパーソナルコンピュータ７ととともに示す。
【００２６】
この実施例の検査装置１は、はんだの印刷工程、部品の実装工程、およびリフロー工程により製作された完成体の基板２００を対象にした検査を実行するためのもので、カラー撮影用のカメラ２、照明部３、基板ステージ４、および制御処理部５などにより構成される。
【００２７】
基板ステージ４には、基板２００を支持するためのテーブル部４１や、このテーブル部４１をＸ，Ｙの各軸方向に移動させるための移動機構４２などが設けられる。カメラ２は、基板ステージ４の上方に、撮像面を下方に向け、かつ光軸を鉛直方向に合わせた状態で配備される。
【００２８】
照明部３には、赤、緑、青の各色彩光をそれぞれ発する円環状光源３Ｒ，３Ｇ，３Ｂが含まれており、基板ステージ４とカメラ２との間に配置される。各光源３Ｒ，３Ｇ，３Ｂは、それぞれ径が異なり、また各中心部をカメラ２の光軸に合わせた状態で配備される。これにより、基板２００に対し、赤、緑、青の各光が、それぞれ仰角が異なる方向から照射されるので、はんだフィレットや後記する電極ピンなどの鏡面反射性の高い部位の傾斜状態を各照明光の色彩により表現した画像を生成することができる。図３〜６等の画像の模式図では、画像中の色彩を網点などのパターンに置き換えて示す。
【００２９】
制御処理部５には、コンピュータによる制御部５０のほか、画像入力部５１、撮像制御部５２、照明制御部５３、ＸＹステージ制御部５４、メモリ５５、表示部５６、入力部５７、通信インターフェース５８などが設けられる。
【００３０】
画像入力部５１には、カメラ２からの画像をディジタル変換するためのＡ／Ｄ変換回路などが含まれる。撮像制御部５２は、カメラ２に対し、撮像を指示するタイミング信号を出力し、照明制御部５３は、各光源３Ｒ，３Ｇ，３Ｂの点消灯動作や光量を制御する。ＸＹステージ制御部５４は、基板ステージ４の移動のタイミングやＸ，Ｙの各軸方向における移動量を制御する。
【００３１】
メモリ５５には、検査を実行するための一連の処理手順が記述されたプログラムや検査データ格納用のデータベース（以下、「検査用データベース」という。）が格納される。検査用データベースには、検査対象の基板２００に実装される部品毎に、設定すべき検査領域の設定に関するデータ（検査領域の位置および大きさを示すもの）、各検査領域で被検査部位の色彩を検出するための２値化しきい値、被検査部位の測定値（主として面積）の適否を判定するための判定ロジックならびに判定基準値など、複数種の検査データが設定される。
【００３２】
本明細書では、上記の検査データのうち、検査領域の位置および大きさを示すデータを「検査領域の設定データ」と呼び、それ以外の検査データを「検査用パラメータ」と総称する。
【００３３】
つぎに、この実施例の基板２００は複数の領域に分けて撮像される。検査用データベースには、基板２００に対するカメラ２の視野の割り付けに関するデータも格納されており、制御部５０は、このデータに基づきＸＹステージ制御部５４を介して基板ステージ４の移動を制御することにより、カメラ２を各撮像対象領域に順に位置合わせして撮像を行う。毎時の撮像により生成されたカラー画像は画像入力部５１を介して制御部５０に入力され、その内部のメモリ（ＲＡＭなど）に格納される。制御部５０は、この内部メモリに格納された画像中の部品に順に着目し、着目部品に対し、その検査データに基づき、検査領域の設定、２値化、計測、良否判定の各処理を順に実行する。
【００３４】
制御部５０は、通信インターフェース５８および通信回線６を介して、図中のパーソナルコンピュータ７や図示しない上位機器に接続されている。制御部５０は、１枚の基板２００の検査が終了する都度、その基板２００に対する検査の結果や検査に用いられた画像などを、上位機器に出力する。また、検査結果や画像は、表示部５６にも表示される。
【００３５】
パーソナルコンピュータ７には、上記の検査装置で使用される検査データを作成するためのシステム（以下、「検査データ作成システム」または単に「システム」という。）が組み込まれている。この検査データ作成システムには、複数の部品種にそれぞれサブ部品種を対応づけた階層構造データが登録されている。部品種は、想定され得る各種部品の外観を、主として部品本体の形状の違いにより分類することで設定されたものである。この部品種を、部品の色彩や電極の形状などの違いに基づき細分類したものがサブ部品種である。
【００３６】
各部品種には、当該部品種に適した検査領域の基本の設定ルールが登録されている。また各サブ部品種には、上位の部品種の検査領域の設定ルールへのリンク情報と、サブ部品種の外観の特徴に応じた検査用パラメータとを含む基本ライブラリデータとが登録されている。
【００３７】
この実施例では、検査装置において、基板２００の部品実装前および部品実装後の良品モデルをそれぞれ複数の領域に分割して領域毎に撮像し、生成された画像をつなぎ合わせることにより、基板２００の全体構成を表す基準画像を生成する。以下では、部品実装前の基板を示す基準画像を「実装前基準画像」といい、部品実装後の基板を示す基準画像を「実装後基準画像」という。
【００３８】
検査データ作成システムでは、各基準画像や基板２００のＣＡＤデータを入力し、これらの入力情報と上記の基本ライブラリデータとを用いて、ＣＡＤデータが表す部品の型式毎に、その型式に適したサブ部品種を特定し、特定されたサブ部品種にリンクする検査用パラメータを使用して、当該型式に対応するバリエーションのライブラリデータ（以下、単に「バリエーション」という。）を作成し、これを登録する。なお、既にバリエーションが登録されている型式については、この処理は不要である。
【００３９】
上記の登録処理が終了すると、システムでは、ＣＡＤデータが示す各部品にそれぞれその型式に応じたバリエーションを適用して、各部品の検査データを作成する。完成した検査データは、検査装置１に送信され、メモリ５５内の検査用データベースに格納される。
【００４０】
図２は、上記のバリエーションの作成に関して検査データ作成システムが実行する処理の概略手順を示す。
このフローチャートを参照して説明すると、まず、検査データ作成システムは、基板２００のＣＡＤデータからバリエーションが登録されていない部品を検索し、この検索で抽出された部品の部品型式を示すリスト（以下、「未登録リスト」という。）を図１に示すモニタ１７に表示する（ＳＴ１）。ユーザが未登録リスト中の一部品型式を選択すると（ＳＴ２が「ＹＥＳ」）、検査データ作成システムは、選択された型式の部品の実装位置をＣＡＤデータから割り出し、この部品を含む範囲内の実装後基準画像をモニタ１７に表示する（ＳＴ３）。
【００４１】
このときの表示画面には、各種部品種やサブ部品種のサンプル画像のリストも表示される。ユーザは、選択中の型式の部品の形状や色彩をこのリストと照合して、当該部品に適合する部品種およびサブ部品種を選択する。
さらにユーザは、表示中の画像上で設定対象の部品の部品本体に対応する領域を指定する。ここで指定される領域を、以下では「部品本体領域」という。
【００４２】
検査データ作成システムでは、上記の各操作を受け付けると（ＳＴ４，５）、選択された部品種およびサブ部品種に適合する検査領域の設定ルールを読み出し、このルールを部品本体領域が設定された範囲に適用して検査領域を設定する（ＳＴ６）。さらに、表示中の実装後基準画像を、検査領域の設定状態を示すものに更新する（ＳＴ７）。
【００４３】
この表示に対し、ユーザが確定操作を行うと（ＳＴ８）、検査データシステムでは、表示中の検査領域の設定データに、設定対象の部品につき選択されているサブ部品種の検査用パラメータを組み合わせ、この組み合わせを新規のバリエーションとして登録する（ＳＴ１０）。
なお、この新規バリエーションには、バリエーション名として設定対象の部品の品番名称が付与される。また、検査領域の設定状態の表示に対し、ユーザがその表示を不適当であると判断してキャンセル操作を行った場合には、ユーザの手操作に応じて検査領域を修正する（ＳＴ９）。
【００４４】
以下、未登録の部品型式がなくなるまでこれらが順に選択されて、上記と同様の処理が実行される。これにより、全ての型式に適合するバリエーションが作成されて登録されると、ＳＴ１１が「ＮＯ」となり、バリエーションの作成処理を終了する。
【００４５】
以下、ＳＴ６の検査領域の設定処理について詳細に説明する。
この実施例では、電極の数が比較的少なく、かつ電極数が固定されているチップ部品に対しては、図３（Ａ）に示すように、処理対象の部品２０２の部品種に設定されている基本のルールに基づき、ユーザにより指定された部品本体領域３０を基準にして各種検査領域Ｓ１０１〜Ｓ１０４を設定する。ただし、基板側のランドの位置や大きさには、ばらつきがあるので、図３の（Ｂ）（Ｃ）に示すように、実装前基準画像の対応範囲からランドを抽出し、この抽出結果に応じて、はんだ付け状態の検査用の検査領域Ｓ１０１，Ｓ１０２を修正するようにしている。
なお、図中の検査領域Ｓ１０３は、部品の有無を判別する検査に用いられる。また、検査領域Ｓ１０４は、実際の処理対象画像から検査対象の部品やランドを抽出して、各検査領域Ｓ１０１〜Ｓ１０３の位置を微調整する目的に使用される。
【００４６】
上記に対し、ＳＯＰ，ＱＦＰなど、多数の電極ピンが配置され、部品型式によって電極ピンの数が異なる部品を設定対象とする場合には、まず電極ピンの数やピッチを特定する必要がある。この特定をするには、実装前基準画像からランドを抽出したり、実装後基準画像から電極ピンを抽出する方法が考えられるが、微小で数が特定されていない部位を正確に抽出するには複雑な処理を行う必要があり、処理時間が長びく可能性がある。またランドに関してメッキ処理がされている場合に、表面の凹凸むらなどによって画像中の色彩や明るさにばらつきが生じて抽出に失敗したり、部品の周囲にある電極ピンやランドによく似た色の部位が誤抽出されるなど、抽出の精度を確保できない可能性もある。
【００４７】
そこで、この実施例では、ＳＯＰやＱＦＰでは電極ピンが規則性をもって配置されていることや、線対称の形状を有している点に着目し、部品本体の一辺に沿って並ぶ電極ピンのうち一番端およびその隣に位置する２つの電極ピン、ならびにこれらが接続されるランドをユーザに指定させて、指定された各部位の関係から電極ピンおよびランドの規則性を特定し、この結果に基づき、全ての電極ピンおよびランドに対する検査領域を設定するようにしている。
【００４８】
図４および図５は、上記の方法で検査領域を設定する際に用いられる作業用画面を提示される順に示す。この画面の左側には、基板２００の実装後基準画像を表示するための画像表示領域１００が設けられ、右側には、選択対象の部品に関する情報を表示する欄１０１や、ユーザの設定操作を支援するためのガイダンス領域１０２などが設けられる。
【００４９】
図４に示す画面は、処理対象の部品（現在選択されている型式の部品）の部品種およびサブ部品種が選択されたことに応じて表示されたもので、画像表示領域１００には、処理対象の部品２０１（この例ではＳＯＰ）を中心にした実装後基準画像が、デフォルトの設定による部品本体領域３０とともに表示されている。また、画面の右上およびガイダンス領域１０２の中央部には、選択されたサブ部品種のサンプル画像１０３が表示される。
【００５０】
部品本体領域３０は、各検査領域を設定するための基準として用いられるもので、範囲を表す矩形枠の一辺に三角形状のマーク３１が設定されている。このマーク３１は部品２０１の向きを示すもので、たとえば、マーク３１が右向きであれば部品２０１の向きは０度であり、マーク３１が上向きであれば、部品２０１の向きは９０度である。この部品２０１の向きは、ＣＡＤデータに基づき設定される。
【００５１】
ガイダンス領域１０２には、サンプル画像１０３や、ユーザの操作を支援するためのメッセージ１０４が表示されるほか、複数のボタン１１０〜１１６が設けられる。これらのボタンのうち、矢印が付されたボタン１１１は、部品本体領域３０の向きが検査データの定義と異なる場合に、この向きを変更するためのものである。ボタン１１２，１１３，１１４は指定の対象を切り替えるためのもので、ボタン１１５は指定をリセットするのに用いられる。
【００５２】
また「抽出」の文字が付されたボタン１１０は、指定の内容を確定して検査領域を自動設定することを指示するためのものである。以下、このボタン１１０を「抽出ボタン１１０」という。
【００５３】
さらに、ガイダンス領域１０２の下方には、画面を一段階前のものに戻すための「戻る」ボタン１０７などが設けられる。また、画像表示領域１００の下方には、この領域１００内の表示倍率を切り替えるための設定領域１０８や、表示中の画像を切り替えるための切り替え用のボタン１０９などが設けられる。ボタン１０９は、画像表示領域１００内の設定対象の部品の状態が良くない場合などに操作されるもので、この操作が行われると、画像表示領域１００内の表示は、選択中の部品型式で、現在表示されているものとは別の場所にある部品を中心にするものに更新される。
【００５４】
図４の例の画像表示領域１００に表示されている部品本体領域３０は、選択中の部品種の基本の設定ルールに基づいて設定されたものであるが、実際の部品には適合していない。この実施例では、ユーザに、マウスを用いて、部品本体領域３０の各辺を実際の部品本体に合わせるように調整することを要求する。ユーザがこの要求に応じた操作を行って、「１ピン」ボタン１１２を操作することにより、図２のＳＴ５の受付処理が実行される。
【００５５】
部品本体領域３０の指定が受け付けられると、画面は図５に示すものに切り替えられる。この画面の画像表示領域１００では、調整後の部品本体領域３０の下辺の左端位置に矩形枠３３が表示される。この矩形枠３３は処理対象の部品２０１の一電極ピンに対応する領域を指定するためのものである。以下、矩形枠３３を「指定枠３３」といい、指定枠３３により指定された領域を「電極領域」という。
【００５６】
ユーザは、ガイダンス領域１０２のコメント１０４に従って、電極ピンに対応する領域およびランドに対応する領域を順に指定する。図６は、この指定操作に応じた画像表示領域１００内の表示の変化を、処理対象部品２０１の一部（領域の指定が行われる部分）に限定して示す。
【００５７】
図５および図６を参照して具体的な作業の流れを説明する。
この実施例では、マーク３１により特定される部品の向きと選択中の部品種とに基づき、部品対応領域３０の各辺の中から電極ピンの配列に対応する辺（図６の例では下辺）を特定し、この辺の端部（図６の例では左端）に指定枠３３を表示するようにしている。
【００５８】
ユーザは、部品対応領域３０の調整を終了した後に、ガイダンス領域内１０２の「１ピン」ボタン１１２を操作することにより、図５に示した位置に指定枠３３を呼び出し、この指定枠３３を、電極ピンの配列中の左端の電極ピンに合うように調整する（図６（１））。つぎに、ユーザが「１ランド」ボタン１１３を操作すると、上記の指定枠３３よりやや外側に、この指定枠３３とは異なる色彩により、ランド指定用の指定枠３４が表示される（図６（２））。ユーザは、この指定枠３４の先端が左端のランドの先端に合うように調整する（図６（３））。この指定枠３４より指定された領域を、以下では「ランド領域」という。
【００５９】
つぎにユーザがガイダンス領域１０２の「２ピン・ランド」のボタン１１４を操作すると、各指定枠３３，３４が複写されて、現在の表示位置の右手に表示される（図６（４））。ユーザは、この複写された指定枠３３，３４を、マウスのドラッグ・ドロップ操作や矢印キー１１６の操作により、左から２番目の電極ピンおよびランドに位置合わせする（図６（５））。
【００６０】
上記のように、部品本体領域３０の一辺に沿って並ぶ電極ピンの中の一番端およびその隣の電極ピンおよびこれらが接続されるランドを選択し、それぞれに指定枠３３，３４を合わせることにより、電極領域およびランド領域が２組指定された状態になる。
【００６１】
上記の指定が終了すると、ユーザはガイダンス領域１０２の抽出ボタン１１０を操作する。これにより、部品本体領域３０および電極領域ならびにランド領域の指定が確定され、これらの領域に基づき、部品の検査に必要な全ての検査領域が設定される。
【００６２】
図７は、指定枠３３，３４による指定が完了して抽出ボタン１１０が操作されたときに画像表示領域１００における表示の変化を、処理対象の部品２０１に表示を限定して示す。図中、（Ａ）は抽出ボタン１１０が操作される直前の表示状態であり、（Ｂ）は抽出ボタン１１０の操作により更新された表示状態である。
【００６３】
図７に示すように、この実施例では、抽出ボタン１１０の操作に応じて設定された検査領域を示す矩形枠を、部品２０１の画像に重ね表示する。
ここで図７（Ｂ）を参照して、設定される検査領域を簡単に説明すると、この実施例では、部品本体の一辺に沿って並ぶ電極ピンを３〜４個のグループに分けて、グループ毎に、そのグループ内の電極ピンおよびこれらに対応するランドが含まれる範囲に検査領域Ｓ１〜Ｓ４を設定する。また、個々の電極ピンにもそれぞれ個別に検査領域が設定されるが、図６（３）の表示例では、グループ毎に、そのグループ内の電極ピンの１つを代表として、代表の電極ピンに設定した検査領域Ｓ１１，Ｓ２１，Ｓ３１，Ｓ４１のみを表示する。
【００６４】
また、図７（Ｂ）の例では表示されていないが、Ｓ１１，Ｓ２１，Ｓ３１，Ｓ４１などの電極ピン単位の検査領域の間には、それぞれブリッジを検出するための検査領域が設定され、各電極ピンの先端からランドの先端までの範囲には、両者の間のフィレットの状態を検査するための検査領域が設定される。
【００６５】
電極ピン単位の検査領域は、電極ピンの有無や位置ずれ、形状の適否などを判別する検査に用いられる。
また、グループ単位の検査領域Ｓ１〜Ｓ４は、撮像対象領域を割り付ける際の基準の単位として用いられる。すなわち、同じグループに含まれる範囲のすべてが同一の画像に含まれるように毎時の撮像対象領域が設定される。これにより電極ピンやランドの単位で実施される検査の精度を確保することができる。
【００６６】
なお、この実施例では、抽出ボタン１１０を操作するまでの間であれば、部品本体領域３０や各指定枠３３，３４の位置や大きさを修正することができる。
【００６７】
また、２組目の指定枠３３，３４が呼び出されて、その位置が確定した後に、再度、ボタン１１４を操作することにより、指定枠３３，３４をもう１組複写し、これらを左から３番目の電極ピンおよびランドに位置合わせすることもできる。以下、同様の指定を続けることにより、部品対応領域３０の一辺に沿って、３組以上の電極領域およびランド領域を指定してから抽出ボタン１１０を操作することができる。
【００６８】
抽出ボタン１１０が操作された後の全体画面に関しては図示していないが、ガイダンス領域１０２には、抽出ボタン１１０に代えて、検査領域の設定を確定するための確定ボタンが設けられる。ユーザが表示された検査領域を適切であると判断して確定ボタンを操作することにより、表示中の検査領域にかかる設定データが確定されて、先の図２のＳＴ１０の処理が実行される。一方、リセットボタン１１５が操作された場合には、検査領域の設定データは破棄され、ガイダンス領域１０２は図５に示した状態のものに戻される。
【００６９】
図８は、上記の検査領域を設定するために導出される主要なパラメータを示す。図中、ＰＷは電極ピンの幅であり、ＰＭは電極ピンの長さであり、ＰＤは電極ピン間のピッチである。また、ＬＷはランドの幅であり、ＬＭは部品の端縁からランドの端縁までの距離である。ＳＤは、部品の一角部からその直近の電極ピンまでの距離（以下、この距離を「マージン」と呼ぶ。）である。
【００７０】
図９は、抽出ボタン１１０の操作に応じて検査データ作成システムが実行する処理の手順を示す。以下、このフローチャートに沿って、ＳＯＰやＱＦＰを対象に検査領域の設定データを作成する場合の処理を説明する。
【００７１】
この処理では、まず、抽出ボタン１１０が操作されたときの指定枠３３，３４による指定の状態をチェックする。ここで２組以上の指定枠３３，３４による指定が行われている場合には、ＳＴ１０２以下の処理に進むが、この指定が行われていない場合には、ガイダンス領域１０２に再度の指定を求めるメッセージを表示するなどのエラー処理を実行する。
【００７２】
２組以上の指定枠３３，３４による指定が行われている場合（ＳＴ１０１が「ＹＥＳ」）には、まず、各指定枠３３により指定された領域を電極領域と認定して、これらの幅および長さを計測し、それぞれの平均値を求める。そして、幅の計測値の平均値を電極ピンの幅ＰＷとし、長さの計測値の平均値を電極ピンの長さＰＭとする（ＳＴ１０３）。
【００７３】
つぎに、ステップＳＴ１０３では、電極領域間の距離を計測し、その計測値に基づき電極ピン間のピッチＰＤを特定する。この処理では正確を期すために、図１０に示す想定ピッチテーブルを参照して計測値に最も適合する想定ピッチを特定し、特定された想定ピッチをピクセルの単位に置き換えたものをＰＤとする。この想定ピッチテーブルには、開発者が経験的に構築した情報に基づくピッチの具体的な値（ただし、図１０ではａ〜ｇの文字により示す。）が格納されている。
なお、電極領域が３個以上指定されている場合には、ＳＴ１０３では、隣り合う電極領域の組み合わせ毎にピッチを計測し、各計測値により想定ピッチテーブルを参照して、ＰＤの値を導出する。
【００７４】
つぎに、部品本体の角部のマージンＳＤを求める処理を実行する（ＳＴ１０４）。ここでは、認識した電極領域の中で部品本体領域３０の角部に最も近いものに着目し、当該角部と着目した電極領域との間の距離を計測し、その計測値をマージンＳＤとする。
【００７５】
つぎに、ＳＴ１０５では、各指定枠３４により指定された領域をランド領域と認定して、これらの幅および長さを計測し、各幅の計測値の平均値をランドの幅ＬＷとし、各長さの計測値の平均値をランドの長さＬＭとする。
【００７６】
このようにして各種パラメータが導出されると、ＳＴ１０６では、部品本体領域３０の指定枠３３，３４が設けられた辺を基準の辺として、この基準の辺の両端にそれぞれマージンＳＤを設定する。そして、両端のマージンＳＤを除いた範囲の長さとピッチＰＤとを用いて、基準の辺における電極ピンの数および各電極ピンの位置を特定する。
【００７７】
つぎに、ＳＴ１０７では、上記の処理により特定された各電極ピンに検査領域を割り付ける。具体的には、電極ピンやランドの幅および長さを示すパラメータＰＷ，ＰＭ，ＬＷ，ＬＭに基づき、電極ピン単位の検査領域（図７（Ｂ）のＳ１１，Ｓ２１，Ｓ３１，Ｓ４１）の幅や長さを特定し、これらを各電極ピンにつき特定した位置に設定する。さらに、これらの検査領域を３個または４個の単位でグループ分けして、グループ単位の検査領域（図７（Ｂ）のＳ１，Ｓ２，Ｓ３，Ｓ４）を設定する。さらに、ブリッジ検査用の検査領域や、ランドに対する検査領域などを設定する。
なお、電極ピン単位の検査領域を特定する場合には、電極ピンとランドとの幅方向が中心位置で位置合わせされているものとして、検査領域の幅を設定する。
【００７８】
上記の処理により、基準の辺に対応する検査領域が設定されると、これらの検査領域を１８０度回転させたものを基準の辺に対向する辺に設定する（ＳＴ１０８）。なお、検査領域の回転処理として、この実施例では、画像中の検査領域の配列を時計回りまたは反時計回りに回転させるが、これに限らず、検査領域の配列を、その配列方向を軸として軸回転させる処理（各検査領域を裏返した状態にする変換処理）を行ってもよい。
処理対象の部品がＳＯＰである場合には、つぎのＳＴ１０９が「ＮＯ」となり、これをもって検査領域の設定処理が終了する。
【００７９】
一方、処理対象の部品がＱＦＰである場合（ＳＴ１０９が「ＹＥＳ」）には、部品本体領域３０の基準の辺に直交する二辺のうちの一方を基準の辺に変更して（ＳＴ１１０）、この基準の辺における電極ピンの数および位置を特定し（ＳＴ１１１）、その特定結果に基づき検査領域の割り付け処理を実行する（ＳＴ１１２）。さらに、この処理により設定された検査領域を１８０度回転させたものを、基準の辺に対向する辺に設定する（ＳＴ１１３）。これをもって、検査領域の設定処理が終了となる。
【００８０】
ＳＴ１１１，ＳＴ１１２，ＳＴ１１３では、それぞれＳＴ１０６，ＳＴ１０７，ＳＴ１０８と同様の処理を実行する。ただし、処理対象の部品の部品本体が正方形でない場合には、直交する二辺におけるマージンが異なる場合がある。このマージンの違いに対応するためにＳＴ１１２では、電極ピン単位の検査領域を割り付けた後に、これらの検査領域の配列の中心位置が基準の辺の中心に位置合わせされるように、各検査領域を微調整する。
【００８１】
また、図１０に示した想定ピッチテーブル中に値が接近したピッチが複数格納されている場合には、これらが想定ピッチテーブル中に画像から計測されたピッチに近似して、いずれを選択するのが良いかを判別するのが困難になる場合があると考えられる。この点につきこの実施例では、ＳＴ１０３において、想定ピッチテーブル中の２以上の値が画像から計測されたピッチに近似した場合には、これらの値をすべてＰＤとして仮設定する。さらにＳＴ１０６においては、ＰＤの各仮設定値に基づき電極ピンの数および位置を特定し、各電極ピンを等間隔により近い状態で配置できたときの特定結果およびその特定に用いたＰＤを採用する。さらに、この後にＳＴ１１１を実行する場合には、ピッチＰＤとして、ＳＴ１０６で採用した方の値を使用する。
【００８２】
また、図４〜７に示した例では、各ランドの幅が均一であるものとしたが、基板によっては、図１１に示すように、端部のランドの幅ＬＷ１が他のランドの幅ＬＷ２より大きくなっている場合もある。このような場合に対応するために、ＳＴ１０５では、各ランド領域から計測した幅を比較し、部品対応領域３０の角部の直近のランド領域の幅がその隣のランド領域の幅より大きく、かつこれらの差が所定のしきい値を上回る場合には、前者の計測値をＬＷ１とし、後者の計測値をＬＷ２とする。ＳＴ１０７では、これらＬＷ１，ＬＷ２の値を検査領域の設定に反映させる。
【００８３】
上記のとおり、この実施例では、ＳＯＰやＱＦＰについては、各電極ピンや各ランドの配置の規則性や部品の線対称の形状を利用して、部品本体の一辺に沿って並ぶ電極ピンのうち、端から順に２本の電極ピンおよびこれらに対応するランドを指定し、指定された部位における規則性を部品全体に適用することによって、全ての電極ピンおよびランドに対する検査領域を設定する。よって、電極ピンやランドを抽出するための画像処理にかかる負担が軽減され、検査領域の設定に要する処理の時間を短縮することが可能になる。また、ユーザが部品本体領域３０や指定枠３３，３４を正しく設定すれば、これらの指定に基づき、電極ピンやランドの配置の規則を示すパラメータを十分に精度良く求めることができるから、検査領域の設定の精度を確保することができる。
【００８４】
したがって、画像からの電極ピンやランドの色彩や明るさにばらつきがあったり、電極ピンやランド以外の部位を誤抽出する可能性があるなど、画像処理による抽出の精度を確保するのが困難な場合でも、電極ピンやランドの目視に問題がなければ、これらを正しく指定することによって検査領域を精度良く設定することが可能になる。また、この設定にはユーザによる電極領域やランド領域の指定が必要であるが、その指定操作は電極ピンおよびランドを２つずつ指定する程度のものであるので、大きな負担をかけることがなく、検査領域の設定作業を短時間で完了することができる。
【００８５】
ただし、上記の例のように、電極ピンおよびランドを組にして指定することは必須ではなく、電極領域のみをユーザに指定させ、その指定領域の先端を基準にした所定の範囲からランドを抽出するようにしてもよい。この場合には、ランド抽出のための画像処理の処理対象範囲が限定されるので、ランドの抽出用のしきい値の基準をある程度低くすることで抽出の失敗を防止でき、また周囲の関係のない部位を誤抽出するのを防止することができる。よって、ランドを精度良く抽出して、検査領域の設定用のパラメータの導出を支障なく行うことができる。また、この処理では、指定枠３３により指定された電極領域に対応するランドを抽出するだけであるから、抽出のための処理時間が長くなるおそれもない。
【００８６】
つぎに上記の実施例では、ＳＯＰ，ＱＦＰなど、対向する２辺間における電極ピンの配列に線対称の関係が成立する部品を設定の対象としたが、このような形状以外の部品（たとえばコネクタ）に関しても、電極ピンが複数配置されている辺に指定枠３３，３４を設定することにより、上記実施例と同様の手法で検査領域の設定データを作成することが可能である。
【００８７】
また、上記の実施例では、部品型式に対応するサブ部品種用のライブラリデータを作成する処理の中で、検査領域の設定データを作成しているが、ライブラリデータによらずに、基板２００の実装後基準画像を用いて個々の部品毎に検査領域の設定データを特定する場合にも、同様の処理を適用することができる。
【００８８】
また、処理対象の画像は、上記実施例のような２次元画像に限らず、２次元画像に各部位の高さデータを組み合わせた３次元画像や、Ｘ線ＣＴ画像から復元された３次元情報を対象にした検査を行う場合にも、上記と同様の方法で検査領域の設定データを特定することが可能である。
【符号の説明】
【００８９】
１    検査装置
２    カメラ
７    パーソナルコンピュータ
１７  モニタ
３０  部品対応領域
３２，３３，３４  指定枠
１００  画像表示領域
１０２  ガイダンス領域
１１０  抽出ボタン
２０１  部品
Ｓ１，Ｓ２，Ｓ３，Ｓ４，Ｓ１１，Ｓ２１，Ｓ３１，Ｓ４１  検査領域
【図１】
0005407755.tif 000002
【図２】
0005407755.tif 000003
【図３】
0005407755.tif 000004
【図４】
0005407755.tif 000005
【図５】
0005407755.tif 000006
【図６】
0005407755.tif 000007
【図７】
0005407755.tif 000008
【図８】
0005407755.tif 000009
【図９】
0005407755.tif 000010
【図１０】
0005407755.tif 000011
【図１１】
0005407755.tif 000012